(57)【要約】【課題】梱包装置を介して被梱包機器に伝わる衝撃を軽減することができ、被梱包機器の変形や損傷を防ぐことができる梱包装置を得る。【解決手段】貯湯式給湯器１を覆うスリーブと、スリーブの内面側に、貯湯式給湯器１を取り巻くように設けた突起状の凸型支持装置８とを備えたものである。【選択図】図１
2010006428.tif 000002
【特許請求の範囲】
【請求項１】
被梱包機器を覆うスリーブと、
前記スリーブの内面側に、前記被梱包機器を取り巻くように設けた突起状の凸型支持装置と
を備えたことを特徴とする梱包装置。
【請求項２】
前記スリーブを複数備え、
該複数のスリーブを高さ方向に連結したことを特徴とする請求項１記載の梱包装置。
【請求項３】
前記凸型支持装置を前記スリーブの連結部分に設けたことを特徴とする請求項２記載の梱包装置。
【請求項４】
前記凸型支持装置は、前記被梱包機器と当接して、前記被梱包機器と前記スリーブとの間に間隙を形成することを特徴とする請求項１〜３の何れかに記載の梱包装置。
【請求項５】
前記凸型支持装置は、前記スリーブの端部を、内側に折り返して形成されることを特徴とする請求項１〜４の何れかに記載の梱包装置。
【請求項６】
前記凸型支持装置は、前記スリーブの端部を、内側に折り返して形成された嵌合部を備え、
該嵌合部と前記スリーブの端部とを嵌合して、前記スリーブを連結することを特徴とする請求項２〜５の何れかに記載の梱包装置。
【請求項７】
前記スリーブは、段ボール製であることを特徴とする請求項１〜６の何れかに記載の梱包装置。
【請求項８】
前記被梱包機器は、貯湯式給湯器であることを特徴とする請求項１〜７の何れかに記載の梱包装置。
【発明の詳細な説明】
【技術分野】
【０００１】
この発明は、被梱包機器を梱包する梱包装置に関するものである。
【背景技術】
【０００２】
従来の梱包装置においては、例えば「被包装物Ａの上面側及び下面側に、平面形状が被包装物Ａの平面形状よりも大きい上面用緩衝材１１及び下面用緩衝材１２を配設するとともに、被包装物Ａの互いに対向する１対の側面２ａ，２ｂに、該側面２ａ，２ｂを覆うように側面用緩衝材１３，１４を配設する。」ものが提案されている（例えば、特許文献１参照）。
【０００３】
また、例えば「被梱包機器が横積みにされた時に底面となる梱包用外装箱の一側面３ａの両角部に固定される一対の長板状の補強材１０ａ，１０ｂを設けるようにした。」ものが提案されている（例えば、特許文献２参照）。
【０００４】
【特許文献１】特開２００２−３３７９２４号公報（要約、図１）
【特許文献２】特開２００７−３２６６０８号公報（要約、図１）
【発明の開示】
【発明が解決しようとする課題】
【０００５】
従来より、例えば貯湯式給湯器などの被梱包機器（以下「機器」ともいう。）の運搬、保管、荷役を行う際には、機器に損傷が生じないように、キャップ状の天板、筒状のスリーブ、及び機器に固定される架台からなる梱包装置で覆うのが一般的である。
【０００６】
しかしながら、梱包装置が外的衝撃を受けると、スリーブを介して衝撃が被梱包機器に伝わり、被梱包機器が損傷することがある、という問題点があった。
【０００７】
例えば貯湯式給湯器などの背高形状の被梱包機器を運搬する際、運搬車の荷台に横積みされる場合がある。この場合、機器の側面（胴部）を覆うスリーブの上に他の物品が上積みされて、スリーブに外的衝撃が加わり、この外力により機器の変形や損傷が起こることがある。
【０００８】
この発明は、上記のような課題を解決するためになされたもので、第１の目的は、梱包装置を介して被梱包機器に伝わる衝撃を軽減することができ、被梱包機器の変形や損傷を防ぐことができる梱包装置を得ることを目的とする。
【０００９】
また、第２の目的は、比較的簡易な構成により、梱包装置を介して被梱包機器に伝わる衝撃を軽減することができる梱包装置を得ることを目的とする。
【課題を解決するための手段】
【００１０】
この発明に係る梱包装置は、被梱包機器を覆うスリーブと、前記スリーブの内面側に、前記被梱包機器を取り巻くように設けた突起状の凸型支持装置とを備えたものである。
【発明の効果】
【００１１】
この発明は、突起状の凸型支持装置を、スリーブの内面側に、被梱包機器を取り巻くように設けたので、梱包装置を介して被梱包機器に伝わる衝撃を軽減することができ、被梱包機器の変形や損傷を防ぐことができる。
【発明を実施するための最良の形態】
【００１２】
実施の形態１．
図１はこの発明の実施の形態１に係る梱包装置を概略的に示す斜視図である。
図２はこの発明の実施の形態１に係る梱包装置を概略的に示す縦断面図である。
梱包装置は、被梱包機器である貯湯式給湯器１を梱包するものである。
図１及び図２に示すように、梱包装置は、架台２、天板３、緩衝用補強材４ａ及び４ｂ、上層スリーブ５、中層スリーブ６、下層スリーブ７、並びに凸型支持装置８ａ及び８ｂを備えている。
尚、上層スリーブ５、中層スリーブ６、及び下層スリーブ７を総称して「１組のスリーブ」ともいう。
【００１３】
架台２は、貯湯式給湯器１の下に設けられた脚部ａ、脚部ｂ１、及び脚部ｂ２と固定金具により固定される。
天板３は、貯湯式給湯器１の上面を覆う。
緩衝用補強材４ａ及び４ｂは、天板３と貯湯式給湯器１の上面側端縁との間に配置され、貯湯式給湯器１の上端部の衝撃を緩和する。
【００１４】
貯湯式給湯器１の側面を覆う１組のスリーブは、上方より、上層スリーブ５、中層スリーブ６、及び下層スリーブ７が、高さ方向に連結されている。
上層スリーブ５、中層スリーブ６、及び下層スリーブ７は、例えば段ボール製である。
尚、各スリーブの材質は必ずしも同一でなくても良い。また、段ボールに限らず、任意の材料を用いても良い。
【００１５】
尚、本実施の形態１では、１組のスリーブは横断面四角形の場合を説明するが、これに限らず、横断面円形または多角形など、任意の形状でも良い。
【００１６】
凸型支持装置８ａは、上層スリーブ５の内面側に形成された突起により構成され、上層スリーブ５と中層スリーブ６との連結部分に、貯湯式給湯器１を取り巻くように設けられる。
凸型支持装置８ｂは、下層スリーブ７の内面側に形成された突起により構成され、下層スリーブ７と中層スリーブ６との連結部分に、貯湯式給湯器１を取り巻くように設けられる。
この凸型支持装置８ａ及び８ｂは、貯湯式給湯器１の側面（胴部）を、外部からの衝撃による変形や損傷を防ぐ働きをするものである。
【００１７】
また、図２に示すように、凸型支持装置８ａは、貯湯式給湯器１と当接して、貯湯式給湯器１と上層スリーブ５との間に、衝撃緩衝用の間隙９ａを形成する。
つまり、貯湯式給湯器１本体、突起状の凸型支持装置８ａ、上層スリーブ５、及び天板３によって、断面長方形状の衝撃緩衝用の間隙９ａが形成されている。
【００１８】
また、凸型支持装置８ｂは、貯湯式給湯器１と当接して、貯湯式給湯器１と下層スリーブ７との間に、衝撃緩衝用の間隙９ｂを形成する。
つまり、貯湯式給湯器１本体、突起状の凸型支持装置８ｂ、下層スリーブ７、及び架台２によって、断面長方形状の衝撃緩衝用の間隙９ｂが形成されている。
【００１９】
図３はこの発明の実施の形態１に係る凸型支持装置を概略的に示す縦断面図である。
次に、凸型支持装置８ａ、８ｂの構成、及び１組のスリーブの連結方法を説明する。
【００２０】
凸型支持装置８ａは、上層スリーブ５の中層スリーブ６側の端部を、例えばクランク状に折り返した突起により形成される。
また、凸型支持装置８ａはｎ字嵌合部を備える。このｎ字嵌合部は、上層スリーブ５の中層スリーブ６側の端部を、例えばクランク状に内側へ折り返すことにより形成される。
【００２１】
凸型支持装置８ｂは、下層スリーブ７の中層スリーブ６側の端部を、例えばクランク状に折り返した突起により形成される。
また、凸型支持装置８ｂはｕ字嵌合部を備える。このｕ字嵌合部は、下層スリーブ７の中層スリーブ６側の端部を、例えばクランク状に内側へ折り返すことにより形成される。
【００２２】
このように構成された凸型支持装置８ｂを用いて、１組のスリーブの各スリーブが連結される。
即ち、上層スリーブ５のｎ字嵌合部に、中層スリーブ６の一端が挿嵌される。
また、下層スリーブ７のｕ字嵌合部に、中層スリーブ６の他端が挿嵌される。
これにより、上層スリーブ５のｎ字嵌合部と、下層スリーブ７のｕ字嵌合部に保持されるように、中層スリーブ６が嵌合固定される。
【００２３】
ところで、貯湯式給湯器１は、限られた設置スペースで貯湯容量を確保するため、例えば背高形状である。
このため、運搬の際には、貯湯式給湯器１を運搬車の荷台に横積みする場合がある。これは、横揺れを少なくして、周囲の物品との衝突を防ぐためである。
しかしながら、貯湯式給湯器１を運搬車の荷台に横積みすると、例えば貯湯式給湯器１の側面上に、他の物品が上積みされて、貯湯式給湯器１の変形や損傷が起こることがある。
【００２４】
本実施の形態１に係る梱包装置においては、貯湯式給湯器１の側面を覆う１組のスリーブに、凸型支持装置８ａ、８ｂを設けることにより、貯湯式給湯器１の側面（胴部）を、外部からの衝撃による変形や損傷を防ぐことが可能となる。
【００２５】
以上のように本実施の形態においては、貯湯式給湯器１を覆う上層スリーブ５及び下層スリーブ７の内面側に、貯湯式給湯器１を取り巻くように設けた突起状の凸型支持装置８ａ、８ｂを備えた。
このため、例えば運搬、保管、荷扱いの際に、外部から貯湯式給湯器１に伝わろうとする衝撃が、１組のスリーブを介した後、凸型支持装置８ａ、８ｂによって直接貯湯式給湯器１に伝わることを防ぐことができる。
したがって、梱包装置を介して貯湯式給湯器１に伝わる衝撃を軽減することができ、貯湯式給湯器１の変形や損傷を防ぐことができる。
【００２６】
また、凸型支持装置８ａ、８ｂは、貯湯式給湯器１と当接して、貯湯式給湯器１と上層スリーブ５及び下層スリーブ７との間に、衝撃緩衝用の間隙９ａ及び９ｂを形成する。
このため、例えば運搬、保管、荷扱いの際に、外部から貯湯式給湯器１に伝わろうとする衝撃を、衝撃緩衝用の間隙９ａ及び９ｂにより緩衝することができる。
したがって、梱包装置を介して貯湯式給湯器１に伝わる衝撃を軽減することができ、貯湯式給湯器１の変形や損傷を防ぐことができる。
【００２７】
また、凸型支持装置８ａは、上層スリーブ５の端部を内側に折り返して形成され、凸型支持装置８ｂは、下層スリーブ７の端部を内側に折り返して形成される。
このため、凸型支持装置８ａ、８ｂを形成するために、新たな部材などを用いる必要がなく、比較的簡易な構成により、しかもコストの増加や梱包作業性を悪化させることなく、凸型支持装置８ａ、８ｂを設けることができる。
したがって、比較的簡易な構成により、梱包装置を介して貯湯式給湯器１に伝わる衝撃を軽減することができる梱包装置を得ることができる。
【００２８】
また、凸型支持装置８ａは、上層スリーブ５の端部を、内側に折り返して形成されたｎ字嵌合部を備え、凸型支持装置８ｂは、下層スリーブ７の端部を、内側に折り返して形成されたｕ字嵌合部を備える。そして、ｎ字嵌合部及びｕ字嵌合部と、中層スリーブ６の端部とを嵌合して、１組のスリーブを連結する。
このため、３層のスリーブの連結を比較的簡易に行うことができる。
また、ｎ字嵌合部及びｕ字嵌合部を、凸型支持装置８ａ、８ｂとして利用することで、貯湯式給湯器１が外部から受ける衝撃を緩和できる。
さらに、ｎ字嵌合部及びｕ字嵌合部を形成するために、新たな部品材料などを用いることなく、簡易に構成することができる。
【００２９】
また、１組のスリーブは、段ボール製である。このため、梱包装置を軽量化することができる。また、梱包装置の使用後の廃棄処分を簡便にすることができる。
【００３０】
また、上層スリーブ５及び下層スリーブ７の端部を、例えばクランク状に折り返すので、上層スリーブ５及び下層スリーブ７の端部の強度が向上する。よって、梱包装置を介して貯湯式給湯器１に伝わる衝撃を軽減することができる。
【００３１】
また、凸型支持装置８ａ、８ｂは、段ボール製の上層スリーブ５及び下層スリーブ７の端部を折り返して形成されるので、凸型支持装置８ａ、８ｂ自体が弾性力を持ち、梱包装置を介して貯湯式給湯器１に伝わる衝撃を軽減することができる。
【００３２】
尚、本実施の形態では、凸型支持装置８ａ、８ｂは、上層スリーブ５及び下層スリーブ７の端部をクランク状に折り返して形成したが、本発明はこれに限らず、中層スリーブ６の端部を嵌合できるものであれば良く、例えばＳ字状など任意の形状でも良い。
【００３３】
尚、本実施の形態では、１組のスリーブが３層の場合を説明したが、本発明はこれに限らず、任意の数のスリーブを用いるようにしても良い。
【００３４】
実施の形態２．
上記実施の形態１では、１組のスリーブは、上層スリーブ５、中層スリーブ６、及び下層スリーブ７により構成した。
本実施の形態２では、中層スリーブ６を設けない場合について説明する。
【００３５】
図４はこの発明の実施の形態２に係る凸型支持装置を概略的に示す縦断面図である。
図４（ａ）に示すように、凸型支持装置８ａは、上層スリーブ５の端部を逆Ｌ字状に折り返して形成される。また、凸型支持装置８ｂは、上記実施の形態１の構成と同様である。
このような中層スリーブ６を設けない構成であっても、上層スリーブ５のＬ字状の端部を、下層スリーブ７のｕ字嵌合部に挿嵌することにより、上層スリーブ５と下層スリーブ７とが嵌合固定される。
【００３６】
このような構成により、上記実施の形態１と同様の効果を得ることができる。また、被梱包機器の高さが比較的低い場合には、１組のスリーブを２分割にすることで、簡易な構成とすることができ、梱包作業性を向上させることができる。
【００３７】
また、図４（ｂ）に示すように、凸型支持装置８ａ、８ｂを、上層スリーブ５及び下層スリーブ７の端部を層状に折り返して突起状に形成するようにしても良い。
【００３８】
このような構成により、１組のスリーブを結合する必要がない場合には、より簡易な構成により、梱包作業性を向上させることができるとともに、梱包装置を介して貯湯式給湯器１に伝わる衝撃を軽減することができる。
【００３９】
実施の形態３．
図５はこの発明の実施の形態３に係る凸型支持装置の形状の一例を示す図である。
図５は、凸型支持装置８ａのｎ字嵌合部の他の形状を示している。
尚、凸型支持装置８ｂについても同様の形状とすることができ、図５では図示しない。
【００４０】
上記実施の形態１では、凸型支持装置８ａのｎ字嵌合部をクランク状に形成した。本発明はこれに限るものではなく、例えば図５（ａ）に示すように、断面Ｎ字状に形成しても良い。また、例えば図５（ｂ）に示すように、断面逆Ｕ字状に形成しても良い。
【００４１】
このような構成により、上記実施の形態１と同様の効果を得ることができる。また、嵌合部を比較的簡易な形状とすることで、凸型支持装置８ａ及び８ｂを簡易に制作することができる。
【図面の簡単な説明】
【００４２】
【図１】この発明の実施の形態１に係る梱包装置を概略的に示す斜視図である。
【図２】この発明の実施の形態１に係る梱包装置を概略的に示す縦断面図である。
【図３】この発明の実施の形態１に係る凸型支持装置を概略的に示す縦断面図である。
【図４】この発明の実施の形態２に係る凸型支持装置を概略的に示す縦断面図である。
【図５】この発明の実施の形態３に係る凸型支持装置の形状の一例を示す図である。
【符号の説明】
【００４３】
１  貯湯式給湯器、２  架台、３  天板、４ａ  緩衝用補強材、４ｂ  緩衝用補強材、５  上層スリーブ、６  中層スリーブ、７  下層スリーブ、８ａ  凸型支持装置、８ｂ  凸型支持装置、９ａ  間隙、９ｂ  間隙、ａ  脚部、ｂ１  脚部、ｂ２  脚部。
【図１】
2010006428.tif 000003
【図２】
2010006428.tif 000004
【図３】
2010006428.tif 000005
【図４】
2010006428.tif 000006
【図５】
2010006428.tif 000007